(57)【特許請求の範囲】
【請求項１】
少なくとも第１のレンズ群と第２のレンズ群とを有する光学系と、
前記第１のレンズ群を保持する第１の保持枠と、
前記第２のレンズ群を保持する第２の保持枠と、
前記第１の保持枠を保持し駆動する第１のカム環と、
前記第２の保持枠を保持し駆動する第２のカム環と、
前記第１のカム環と共に前記第１の保持枠を前記光学系の光軸方向で移動させる第１の直進環と、
前記第２のカム環と共に前記第２の保持枠を前記光学系の光軸方向で移動させる第２の直進環と、
前記第１のカム環、前記第１の直進環、前記第２のカム環及び前記第２の直進環を保持する第３のカム環と、を有するレンズ鏡筒であって、
前記第１の直進環、前記第２のカム環及び前記第２の直進環はそれぞれ、前記光学系の光軸から当該環状の半径方向に延伸するフランジ部を有し、前記フランジ部の最大外径は前記第３のカム環の内径と略同一であることを特徴とするレンズ鏡筒。
【請求項２】
沈胴時に、前記第２のカム環及び前記第２の直進環が、前記第１の保持枠、前記第１のカム環及び前記の第１の直進環の内側に、光軸を中心として同心となるように収納される構造となっていることを特徴とする請求項１記載のレンズ鏡筒。
【発明の詳細な説明】
【技術分野】
【０００１】
本発明はデジタルカメラ等の撮像装置に用いられるレンズ鏡筒に関し、特に、強度と遮光性を向上させたレンズ鏡筒に関する。
【背景技術】
【０００２】
従来より、レンズ鏡筒として、前群レンズを保持した前群鏡筒と後群レンズを保持した後群鏡筒とを同一のカム環にカム係合させ、後群鏡筒がその一部に光軸から半径方向に延伸したフランジ部を備えたものが知られている（例えば、特許文献１参照）。
【先行技術文献】
【特許文献】
【０００３】
【特許文献１】特開２００１−２２８３８４号公報
【発明の概要】
【発明が解決しようとする課題】
【０００４】
しかしながら、上記構成では、外部から強い衝撃がレンズ鏡筒の先端に加わると、前群保持枠がカムフォロワピン部において内側に変形し、これと同時にカム環が外側に変形することにより、前群鏡筒がカム溝から脱落してしまうおそれがある。また、カム環とその外側のレンズ鏡筒部材との隙間から外光が侵入し、撮影画像が悪影響を受けるおそれもある。
【０００５】
本発明は、外力に対して耐性が高く、外光が侵入しにくいレンズ鏡筒を提供することを目的とする。
【課題を解決するための手段】
【０００６】
上記目的を達成するために、本発明に係るレンズ鏡筒は、少なくとも第１のレンズ群と第２のレンズ群とを有する光学系と、前記第１のレンズ群を保持する第１の保持枠と、前記第２のレンズ群を保持する第２の保持枠と、前記第１の保持枠を保持し駆動する第１のカム環と、前記第２の保持枠を保持し駆動する第２のカム環と、前記第１のカム環と共に前記第１の保持枠を前記光学系の光軸方向で移動させる第１の直進環と、前記第２のカム環と共に前記第２の保持枠を前記光学系の光軸方向で移動させる第２の直進環と、前記第１のカム環、前記第１の直進環、前記第２のカム環及び前記第２の直進環を保持する第３のカム環と、を有するレンズ鏡筒であって、前記第１の直進環、前記第２のカム環及び前記第２の直進環はそれぞれ、前記光学系の光軸から当該環状の半径方向に延伸するフランジ部を有し、前記フランジ部の最大外径は前記第３のカム環の内径と略同一であることを特徴とする。
【発明の効果】
【０００７】
本発明によれば、外力に対して耐性が高く、外光が侵入しにくいレンズ鏡筒を実現することができる。
【図面の簡単な説明】
【０００８】
【図１】本発明の実施形態に係るレンズ鏡筒の構成を示す、光軸を含む断面図である。
【図２】図１に示すレンズ鏡筒における１群レンズと２群レンズのカム軌跡を模試的に示す図である。
【図３】図１に示すレンズ鏡筒のズーム機構系の構成を示す分解斜視図である。
【図４】図１に示すレンズ鏡筒のズーム機構駆動系、フォーカス駆動系及び撮像素子周辺部の構成を示す分解斜視図である。
【図５】図１に示すレンズ鏡筒のワイド端状態での構成を示す、光軸を含む断面図である。
【図６】図１に示すレンズ鏡筒が備える２群カム環、２群直進環及びガイドプレートのワイド端における位置を示す正面図及び中央断面図である。
【図７】図１に示すレンズ鏡筒が備える移動カム環と１群直進環をカムフォロワを通る断面で模式的に示す断面図である。
【発明を実施するための形態】
【０００９】
以下、本発明の実施形態について添付図面を参照して詳細に説明する。図１は、本発明の実施形態に係るレンズ鏡筒の断面図であって、光軸を含む断面図である。
【００１０】
＜レンズ鏡筒の概略構成＞
本実施形態に係るレンズ鏡筒１０は、第１のレンズ群である１群レンズ１０１、第２のレンズ群である２群レンズ１０２及び第３のレンズ群である３群レンズ１０３を備えている。１群レンズ１０１、２群レンズ１０２、３群レンズ１０３はそれぞれ、第１の保持枠である１群鏡筒１１１、第２の保持枠である２群鏡筒１１２、第３の保持枠である３群鏡筒１１３に保持されている。１群レンズ１０１及び２群レンズ１０２は協働して主に焦点距離調節の役割を担い、３群レンズ１０３は主に焦点調節の役割を担う。
【００１１】
なお、１群鏡筒１１１は、１群レンズ１０１を保護する為の不図示のレンズバリア及びその駆動部を備えており、２群鏡筒１１２は不図示のシャッター機構や絞り機構を備えているが、これらの詳細な説明は省略する。
【００１２】
１群レンズ１０１〜３群レンズ１０３により結像される被写体像は、レンズ鏡筒の基台となるベース１２１に保持された撮像素子１０４によって電気信号に変換される。撮像素子１０４の前面には光学フィルタ１０５が配置されている。
【００１３】
レンズ鏡筒１０はまた、円筒形状を成し、その内周にカム溝１２２ａを有する固定筒１２２と、固定筒１２２のカム溝１２２ａと係合するカムフォロワ１２３ｚを外周に有すると共に、内周に２種類のカム溝１２３ａ，１２３ｂを有する移動カム環１２３を備える。カム溝１２３ａには１群直進環１２５の外周に設けられた不図示のカムフォロワが係合しており、カム溝１２３ｂには２群直進環１２７の外周に設けられた不図示のカムフォロワが係合している。
【００１４】
第１の直進環である１群直進環１２５は、光軸方向では一体的に移動可能であり、且つ、光軸周りにおいては相対的な回転が可能な１群カム環１２４を保持している。第２の直進環である２群直進環１２７は、光軸方向では一体的に移動可能であり、且つ、光軸周りにおいては相対的な回転が可能な２群カム環１２６を保持している。固定筒１２２に対して回転が規制されたガイドプレート１２８が、後述する２本のキー１２８ａ（図３参照）によって１群直進環１２５と２群直進環１２７の回転を規制している。
【００１５】
１群カム環１２４の内周にはカム溝１２４ａが形成されており、カム溝１２４ａは１群鏡筒１１１が外周に有するカムフォロワ１１１ｚと係合している。また、２群カム環１２６の内周にはカム溝１２６ａが形成されており、２群鏡筒１１２が外周に有するカムフォロワ１１２ｚと係合している。
【００１６】
このようにレンズ鏡筒１０は、１群鏡筒１１１と２群鏡筒１１２の光軸方向における位置が３つのカム環（第１のカム環である１群カム環１２４、第２のカム環である２群カム環１２６、第３のカム環である移動カム環１２３）によって決定される３段鏡筒である。レンズ鏡筒１０の光学系では、１群レンズ１０１が負のパワーを持ち、２群レンズ１０２が正のパワーを持ち、３群レンズ１０３が正のパワーを持っている。このような光学系では、焦点距離の変化は主に１群レンズ１０１と２群レンズ１０２のレンズの配置で決定される。そして２群レンズ１０１のレンズが光軸方向に大きく移動することによって焦点距離が変化するという性質がある。
【００１７】
近年、レンズ鏡筒の短縮化や光学系の高倍率化の要請に応えるべく、レンズ全長に対する２群レンズの移動量が相対的に大きくなる傾向が強くなっている。すなわち、従来は、１群レンズの移動量でレンズ鏡筒の沈胴全長が決定されていたが、近年では２群レンズの移動量による影響が大きくなっている。
【００１８】
図２は、レンズ鏡筒１０において、１群レンズ１０１が負のパワーを、２群レンズ１０２が正のパワーを、３群レンズ１０３が正のパワーをそれぞれ場合におけるカム軌跡を模式的に示す図である。図２（ａ）は１群レンズ１０１のカム軌跡を、図２（ｂ）は２群レンズ１０２のカム軌跡をそれぞれ示している。「沈胴」は、レンズ鏡筒が非動作時にカメラ本体に収納される状態を指し、「ワイド端」は画角変化における広角端を指し、「テレ端」は画角変化における望遠端を指している。
【００１９】
図２中の“Ｌ２１”は、固定筒１２２内周に設けられたカム溝１２２ａのカム軌跡（以下「カム軌跡Ｌ２１」と記す）であり、光軸方向の位置では、１群レンズ１０１と２群レンズ１０２もは共にこのカムによるストロークが共通の成分として加わっている。
【００２０】
図２（ａ）中、“Ｌ２１２”は移動カム環１２３の内周に設けられたカム溝１２３ａのカム軌跡（以下「カム軌跡Ｌ２１２」と記す）、“Ｌ２１３”は１群カム環１２４の内周に設けられたカム溝１２４ａのカム軌跡（以下「カム軌跡Ｌ２１３」と記す）である。１群レンズ１０１の光軸方向の位置は、カム軌跡Ｌ２１，Ｌ２１２，Ｌ２１３の３本の合計によって決定され、これらの合成軌跡Ｌ２１４が１群レンズ１０１の移動軌跡を表している。
【００２１】
２群レンズ１０２についても同様であり、図２（ｂ）中、“Ｌ２２２”は移動カム環１２３の内周に設けられたカム溝１２３ｂのカム軌跡であり、、“Ｌ２２３”は２群カム環１２６の内周に設けられたカム溝１２６ａのカム軌跡である。これらのカム軌跡Ｌ２１，Ｌ２２２，Ｌ２２３の３本のカム軌跡の合成軌跡Ｌ２２４（ａ）が、２群レンズ１０２の移動軌跡を表している。
【００２２】
１群レンズ１０１と２群レンズ１０２には沈胴位置から同程度の移動量が必要であり、且つ、１群レンズ１０１と２群レンズ１０２の間隔がワイド端の“Δ１２ｗｉｄｅ”からテレ端の“Δ１２ｔｅｌｅ（ａ）”まで大きく変化できることが必要である。レンズ鏡筒１０では、このような特性を、１群鏡筒１１１と２群鏡筒１１２を共に３段カム構成とすることによって実現している。
【００２３】
例えば、２群鏡筒１１２のカム構成においてカム軌跡Ｌ２２２が無い２段構成の場合を仮定すると、２群レンズ１０２の合成軌跡は図２（ｂ）に示される“Ｌ２２４（ｂ）”となる。この場合、テレ端における１群レンズ１０１と２群レンズ１０２のレンズ間隔は“Δ１２ｔｅｌｅ（ａ）”から“Δ１２ｔｅｌｅ（ｂ）”まで広がってしまい、画角倍率変化が低下してしまう。
【００２４】
これに対し、レンズ鏡筒１０では、ベース１２１から２段目の移動カム環１２３において、１群直進環１２５と係合するカム溝１２３ａと、２群直進環１２７と係合する１２３ｂとが分離されている。そのため、１群レンズ１０１と２群レンズ１０２の相互間隔は、１群鏡筒１１１のカム２段分のストローク（＝カム軌跡Ｌ２１２＋カム軌跡Ｌ２１３）と２群鏡筒のカム２段分のストローク（＝カム軌跡Ｌ２２２＋カム軌跡Ｌ２２３）の差によって決まる。こうして、１群レンズ１０１と２群レンズ１０２の相互間隔は、大きな変化量を得ることができるようになっている。
【００２５】
これに対し、例えば、１群鏡筒と２群鏡筒が共に３段構成であっても、ベースから３段目で１群鏡筒と２群鏡筒のカムを分離する構成だとすると、１群レンズと２群レンズの相互間隔は１段分のカムストロークのみで決まるので、大きく得ることができなくなる。レンズ鏡筒１０では、上述の構成により、短い沈胴全長であっても、１群レンズ１０１と２群レンズ１０２の移動量を大きく得ることが可能となっている。換言すれば、より薄型化されたレンズ鏡筒を実現することが可能となっている。
【００２６】
次にレンズ鏡筒のズーム機構系について詳細に説明する。図３は、レンズ鏡筒１０のズーム機構系の構成を示す分解斜視図である。１群カム環１２４の内周には１群直進環１２５が嵌合しており、両者は脱落規制部（不図示）によって一体的に光軸方向で移動可能であり、且つ、相対的に回転可能となっている。１群カム環１２４の内周に形成されている３本のカム溝１２４ａに１群鏡筒１１１の３本のカムフォロワ１１１ｚが係合しており、１群鏡筒１１１はカム溝１２４ａに沿って案内される。
【００２７】
１群直進環１２５の側面には３本の直進案内溝１２５ａが設けられており、これらの直進案内溝１２５ａと１群鏡筒１１１の３本のカムフォロワ１１１ｚとが嵌合することによって、１群鏡筒１１１の回転が規制されている。１群直進環１２５自体の回転規制は、ガイドプレート１２８から立ち曲げられた２本のキー１２８ａがそれぞれ１群直進環１２５側面に設けられた２カ所のスリット１２５ｂに嵌合することにより実現される。直進プレート１２８の回転規制は、そのフランジ部から延伸する３カ所の凸部１２８ｚがそれぞれ固定筒１２２内周の３カ所の直進案内溝１２２ｂに嵌合することによって実現されている。
【００２８】
２群鏡筒１１２についても１群鏡筒１１１と同様であり、２群カム環１２６の内周には２群直進環１２７が嵌合しており、両者は脱落規制部（不図示）によって一体的に光軸方向で移動可能であり、相対的に回転可能となっている。２群カム環１２６の内周に形成されている３本のカム溝１２６ａに２群鏡筒１１２の３本のカムフォロワ１１２ｚが係合しており、２群鏡筒１１２はカム溝１２６ａに沿って案内される。
【００２９】
２群直進環１２７の側面には３本の直進案内溝１２７ａが設けられており、これらの直進案内溝１２７ａと２群鏡筒１１２の３本のカムフォロワ１１２ｚとが嵌合することによって、２群鏡筒１１２の回転が規制されている。
【００３０】
また、２群直進環１２７の一部は半径方向に延伸したフランジ部１２７ｆを有しており、ガイドプレート１２８の２本のキー１２８ａがフランジ部１２７ｆに設けられた２カ所のスリット穴１２７ｂに嵌合することで、２群直進環１２７の回転を規制している。キー１２８ａは、２群カム環１２６の一部が半径方向に延伸したフランジ部１２６ｆに設けられた扇状の穴１２６ｃを貫通している。
【００３１】
１群直進環１２５のカムフォロワ１２５ｚは、移動カム環１２３の内周のカム溝１２３ａと係合しており、１群直進環１２５はカム溝１２３ａに沿って案内される。同様に、２群直進環１２７のカムフォロワ１２７ｚは、移動カム環１２３の内周のカム溝１２３ｂと係合しており、２群直進環１２７はカム溝１２３ｂに沿って案内される。
【００３２】
移動カム環１２３の内周には３本の直進案内溝１２３ｃが円周方向に設けられている。
１群カム環１２４の外周に設けられた突起１２４ｚと２群カム環１２６の外周に設けられた突起１２６ｚが直進案内溝１２３ｃと嵌合しており、１群カム環１２４と２群カム環１２６は移動カム環１２３に従動して回転する。移動カム環１２３は３つのカムフォロワ１２３ｚを介して固定筒１２２の内周の３本のカム溝１２２ａに係合し、カム溝１２２ａに沿って案内される。移動カム環１２３の外周にはギア１２３ｇが一体的に設けられており、駆動モータの力が後述する駆動ギアを介してギア１２３ｇに伝達されることで、移動カム環１２３は光軸回りに回転すると共に光軸方向へ移動する。ガイドプレート１２８は、移動カム環１２３の脱落規制部（不図示）によって移動カム環１２３と一体的に光軸方向で移動し、光軸回りに相対的に回転可能となっている。
【００３３】
このような構成では、移動カム環１２３の回転に従動して１群カム環１２４も回転する。しかし、１群直進環１２５の回転はガイドプレート１２８によって規制されているため、１群鏡筒１１１は、１群直進環１２５によって回転が規制され、光軸方向で移動するのみとなる。また、移動カム環１２３の回転に従動して２群カム環１２６も回転するが、２群直進環１２７の回転はガイドプレート１２８によって規制されているため、２群鏡筒１１２は、２群直進環１２７によって回転が規制され、光軸方向で移動するのみとなる。
【００３４】
なお、１群直進環１２５の後端部は、半径方向に延伸したフランジ部１２５ｆとなっており、後述するようにレンズ鏡筒１０の強度向上と遮光性向上の効果を奏する。また、２群カム環１２６と２群直進環１２７のそれぞれの後端部は、半径方向に延伸したフランジ部１２６ｆ，１２７ｆとなっており、後述するようにレンズ鏡筒１０の強度向上と遮光性向上の効果を奏する。
【００３５】
図４は、レンズ鏡筒１０のズーム機構駆動系、フォーカスレンズ駆動系及び撮像素子１０４の周辺部の分解斜視図である。ズーム機構駆動系は、ズーム機構を駆動するズームモータ４０１と、ズームモータ４０１の回転軸に一体的に固定されたギア４０２と、ギア４０２の回転を移動カム環１２３のギア１２３ｇに伝達するための伝達ギア群４０３を有する。ズームモータ４０１の回転方向と回転数のカウントはフォトインタラプタ４０４によって行われ、ズーム駆動のリセット位置の検出はフォトインタラプタ４０５によって行われる。２群直進環１２７に設けられた不図示の遮光リブが、フォトインタラプタ４０４，４０５を遮光することによってリセットを検出する。
【００３６】
３群鏡筒１１３は、ガイドバー４０７が３群鏡筒１１３のスリーブ１１３ａに嵌合し、ベース１２１の保持部１２１ａに保持されることによって、ガイドバー４０７に沿って光軸と平行に進退可能な状態で、ベース１２１に保持されている。３群鏡筒１１３の駆動はフォーカスモータ４１０によって行われ、３群鏡筒１１３は、送りネジである回転軸４１０ａと送りナット４１１による送りネジの効果によって回転軸４１０ａ方向に進退する。３群鏡筒１１３のリブ１１３ｂがベース１２１に設けられたフォトインタラプタ４１２を遮光することによって、３群鏡筒１１３のリセット位置が検出される。
【００３７】
撮像素子１０４は保持板４２０に固定され、保持板４２０はビス４２１によってベース１２１に固定される。保持板４２０と光学フィルタ１０５（図４に不図示、図１参照）の間には、防塵のためのゴム部材４２２が配置されている。
【００３８】
続いて、レンズ鏡筒１０が奏する遮光効果と強度向上効果について説明する。図５は、ワイド端状態にあるレンズ鏡筒１０の断面図であり、光軸及びガイドプレート１２８の２本のキー１２８ａを通る面で切断した断面を示している。
【００３９】
移動カム環１２３と１群カム環１２４の間には、半径方向において僅かな隙間がある。レンズ鏡筒１０では、１群直進環１２５はその一部が半径方向に延伸したフランジ部１２５ｆ（以下「１群直進環フランジ１２５ｆ」と記す）を備え、１群直進環フランジ１２５ｆの最大外径は移動カム環１２３内径と略同一とされている。このような構成により、レンズ鏡筒１０では、太陽等の強い光源からの光線が、移動カム環１２３と１群カム環１２４の間の隙間を通過してレンズ鏡筒１０の内部に到達し、撮影画像に悪影響を及ぼすという問題が生じない。つまり、１群カム環１２４の外周と移動カム環１２３の内周の隙間を通過した光線の光強度は、面反射を繰り返すことで減衰した後、１群直進環フランジ１２５ｆと移動カム環１２３の外周の隙間を通過する際に更に面反射を繰り返して更に減衰する。
【００４０】
同様に、２群カム環１２６のフランジ部１２６ｆ（以下「２群カム環フランジ１２６ｆ」と記す）と２群直進環１２７のフランジ部１２７ｆ（以下「２群直進環フランジ１２７ｆ」と記す）の最大外径も、移動カム環１２３の内周と略同一とされている。これにより上述の通りに減衰した光線は、２群カム環フランジ１２６ｆ及び２群直進環フランジ１２７ｆと移動カム環１２３の内周との隙間で更に減衰する。そして、移動カム環１２３の後端面にはガイドプレート１２８が配置されており、減衰した光線はガイドプレート１２８によって遮光されるので、光線は撮影画像に影響しない程度にまで減衰することとなる。
【００４１】
ところで、レンズ鏡筒１０は、沈胴時には、２群カム環１２６と２群直進環１２７が、１群鏡筒１１１、１群カム環１２４及び１群直進環１２５の内側に光軸を中心として同心（同軸）となるように収納される構造となっている。このため、１群鏡筒１１１と１群直進環１２５の隙間から外光が侵入しても、２群カム環フランジ１２６ｆと２群直進環フランジ１２７ｆによって遮光することができる。また、ガイドプレート１２８のキー１２８ａが２群カム環フランジ１２６ｆと２群直進環フランジ１２７ｆを貫通し、キー１２８ａよりも外側にフランジ部が存在している構成となっていることによって、遮光効果が高められている。
【００４２】
レンズ鏡筒１０ではさらに、キー１２８ａよりも外側にフランジ部が存在しているために、２群カム環１２６の突起１２６ｚをフランジ部の全周の何処にでも配置することができ、よって、設計レイアウトの自由度が高められるという効果が得られる。これについて図６を参照して説明する。
【００４３】
図６は、２群カム環１２６、２群直進環１２７及びガイドプレート１２８のワイド端における位置を示す正面図（上図）及び中央断面図（下図）である。２群直進環１２７の動きは、スリット穴１２７ｂにガイドプレート１２８のキー１２８ａが嵌合することで、光軸方向のみに制限されており、２群カム環１２６には扇型のスリット穴１２６ｃが形成されて、キー１２８ａを避けた状態となっている。キー１２８ａは対向して２カ所に設けられているので、スリット穴１２６ｃも対向して２カ所に設けられている。
【００４４】
移動カム環１２３と従動回転するための突起１２６ｚが円周方向に３カ所設けられているので、スリット穴１２６ｃと突起１２６ｚの位置関係は不規則なものとなる。図６に示されるように、例えば、上図左上の突起１２６ｚはスリット穴１２６ｃの外側に位置してしまうため、仮にスリット穴１２６ｃよりも外側に部位が無い簡便な形状にしてしまうと、突起１２６ｚは円周方向で２つのスリット穴１２６ｃの間に配置するしかない。
【００４５】
これに対し、上述の通り、突起１２６ｚは移動カム環１２３の内周に設けられた直進溝１２３ｃ（図３参照）に嵌合するが、移動カム環１２３の内周には２種類のカム溝１２３ａ，１２３ｂが円周方向に３カ所配置されている。突起１２６ｚを３カ所に設けるのは、これらのカム溝１２３ａ，１２３ｂを避けて直進溝１２３ｃを配置するには、直進溝１２３ｃもまた円周方向で３カ所に配置されていることが望ましいからである。このように、２群カム環１２６のスリット穴１２６ｃより外側に部位を残すことによって、設計レイアウトの自由度を高めることができるという効果が得られる。
【００４６】
次に、フランジ部（１群直進環フランジ１２５ｆ、２群カム環フランジ１２６ｆ及び２群直進環フランジ１２７ｆ）によるレンズ鏡筒１０の強度向上の効果について、図７を参照して説明する。図７は、移動カム環１２３と１群直進環１２５をカムフォロワ１２５ｚを通る断面において模式的に示す断面図である。
【００４７】
図７（ａ）は通常状態の構成を示しており、通常状態ではカムフォロワ１２５ｚはカム溝１２３ａにしっかりと嵌合している。一方、図７（ｂ）は、デジタルカメラが落下等してレンズ鏡筒１０の先端から地面に衝突する等した時の状態の構成を示しており、レンズ鏡筒１０の先端にレンズ鏡筒１０の正面から外力が加わった状態を示している。
【００４８】
レンズ鏡筒１０にその正面から外力が加わると、先に図１に示したように、カムフォロワ１２５ｚとカム溝１２３ａには光軸方向に対して勾配があるので、正面からの外力によってカム溝１２３ａとカムフォロワ１２５ｚは勾配に沿って互いに滑ろうとする。すると、図７（ｂ）に示されるように、移動カム環１２３ではカムフォロワ１２５ｚと嵌合している部分が外側に膨らむように変形し、１群直進環１２５ではカムフォロワ１２５ｚの近傍部が内側に撓んだ状態となるように変形する。図７（ｂ）に示される矢印は、このような変形の方向を示している。
【００４９】
レンズ鏡筒１０では、１群直進環フランジ１２５ｆが設けられていることによって、１群直進環１２５が単純な円筒形状である場合よりも剛性が高められているため、変形が起こり難い。よって、図７（ｂ）に示されるような大きな変形に起因する、カムフォロワ１２５ｚのカム溝１２３ａからの脱落も起こり難い。すなわち、レンズ鏡筒１０では、カムフォロワ１２５ｚがカム溝１２３ａから脱落して、レンズ鏡筒１０が正常に動作しなくなるという問題が起こり難くなっている。
【００５０】
また、図７（ｂ）に示されるように、１群直進環１２５はカムフォロワ１２５ｚの近傍部が内側に撓むと同時に、カムフォロワ１２５ｚ同士の間の部分は外側に膨らむ。こうして外側に膨らんだ１群直進環フランジ１２５ｆが移動カム環１２３の内周に当接して、それ以上の変形が抑制されることで、カムフォロワ１２５ｚがカム溝１２３ａから脱落し難くなっている。
【００５１】
更に、上述の通り、移動カム環１２３には、２群カム環１２６と２群直進環１２７がカム係合しており、２群カム環フランジ１２６ｆと２群直進環フランジ１２７ｆとが、移動カム環１２３の内側に撓んだ内周と当接する。これによって、移動カム環１２３の変形が抑制されて、１群直進環１２５が脱落し難くなっている。
【００５２】
なお、先に説明した通り、ガイドプレート１２８のキー１２８ａは、１群直進環１２５と２群直進環１２７の両方の回転を規制している。これによって１群直進環１２５と２群直進環１２７の回転方向の位置ずれが低減されるという効果が得られる。
また、１群直進環１２５と２群直進環１２７と同じキー１２８ａで規制することができるので、これらを別々に規制するために２種類のキーを２本ずつ使用する従来の構成と比べると、キーの本数を減らすことができる。よって、レンズ鏡筒１０によれば、部品加工性やコストが改善されるという効果も得られる。
【００５３】
以上、本発明の実施の形態について説明したが、本発明はこのような形態に限定されるものではなく、本発明の趣旨を逸脱しない範囲において、適宜、変形等が可能である。
【符号の説明】
【００５４】
１０１    １群レンズ（第１のレンズ群）
１０２    ２群レンズ（第２のレンズ群）
１１１    １群鏡筒
１１２    ２群鏡筒
１２３    移動カム環
１２３ａ    カム溝
１２４    第１カム環
１２５    第１直進環
１２５ｆ  フランジ部（第１直進環フランジ）
１２５ｚ    カムフォロワ
１２６    ２群カム環
１２６ｆ    フランジ部（２群カム環フランジ）
１２７    ２群直進環
１２７ｆ  フランジ部（２群直進環フランジ）
【図１】
0005441744.tif 000002
【図２】
0005441744.tif 000003
【図３】
0005441744.tif 000004
【図４】
0005441744.tif 000005
【図５】
0005441744.tif 000006
【図６】
0005441744.tif 000007
【図７】
0005441744.tif 000008